(57)【要約】【課題】光ファイバを伝播する光に含まれる広角成分を減少させ得る調心を、ＦＦＰに基づく調心よりも簡単な構成で実現する。【解決手段】光ファイバＦ１を伝搬する光から広角成分を除去する低ＮＡ光ファイバＦ２を、光ファイバＦ１の出射端面側に挿入する。そして、低ＮＡ光ファイバＦ２から出力された狭角成分の強度を参照し、該強度を最大化するように半導体レーザ素子ＬＤの出射端面に対する光ファイバＦ１の入射端面の相対位置を調整する。【選択図】図１
2013197372.tif 000002
【特許請求の範囲】
【請求項１】
半導体レーザ素子の出射端面と光ファイバの入射端面との相対位置を調整する調心方法であって、
上記光ファイバを伝搬する、伝搬角θが｜θ｜≦θcrit（θcritは上記光ファイバの臨界伝搬角）となる光から、伝搬角θがθcrit−δ＜｜θ｜≦θcrit（δは正の定数）である広角成分を除去し、伝搬角θが｜θ｜≦θcrit−δである狭角成分を出力する広角成分除去手段を、上記光ファイバの出射端面側に挿入する挿入工程と、
上記広角成分除去手段から出力された上記狭角成分の強度を参照し、該強度を最大化するように上記半導体レーザ素子の出射端面と上記光ファイバの入射端面との相対位置を調整する調整工程と、を含んでいる、
ことを特徴とする調心方法。
【請求項２】
上記広角成分除去手段は、上記光ファイバの出射端面に接続された他の光ファイバであって、上記光ファイバよりも開口数の低い他の光ファイバである、
ことを特徴とする請求項１に記載の調心方法。
【請求項３】
上記光ファイバは、上記入射端面にレンズ加工が施された光ファイバである、
ことを特徴とする請求項１又は２に記載の調心方法。
【請求項４】
半導体レーザ素子と光ファイバとを備えた半導体レーザモジュールの製造方法であって、
上記半導体レーザ素子の出射端面と上記光ファイバの入射端面との相対位置を調整する調心工程において、請求項１から３までの何れか１項に記載の調心方法を用いる、
ことを特徴とする半導体レーザモジュールの製造方法。
【発明の詳細な説明】
【技術分野】
【０００１】
本発明は、半導体レーザ素子の出射端面と光ファイバの入射端面との相対位置を調整する調心方法に関する。また、そのような調心方法を用いた調心工程を含む、半導体レーザモジュールの製造方法に関する。
【背景技術】
【０００２】
ファイバレーザ等の光源装置として、半導体レーザモジュールが広く用いられている。半導体レーザモジュールは、その筐体内に設けられた半導体レーザ素子と、その筐体内に引き込まれた光ファイバとを備えている。半導体レーザ素子及び光ファイバは、半導体レーザモジュールの底板、又は、その底板上に設けられたサブマウントに固定される。
【０００３】
半導体レーザモジュールの製造に際しては、半導体レーザ素子の出射端面と光ファイバの入射端面との相対位置を結合効率が最大となるように調整すること（以下、「調心」とも記載）が重要になる。なぜなら、光ファイバに結合しなかった光は、光ファイバの被覆やメタライズを加熱し、焼損させる虞があるからである。なお、このメタライズは、光ファイバを底板又はサブマウントに半田付けする場合に必要となるものである。
【０００４】
従来の調心方法の概要を図６に示す。図６に示す調心方法は、サブマウント５２を介して底板５１に固定された半導体レーザモジュールＬＤと、挿通パイプ５４を介して引き込まれ、サブマウント５３を介して底板５１に固定された光ファイバＦとを備えた半導体レーザモジュール５０の製造に際して用いられる調心方法であり、光ファイバＦをサブマウント５３に固定する前に実施される。
【０００５】
半導体レーザ素子ＬＤは、図６におけるｚｘ平面に平行な活性層を有する端面発光型の半導体レーザ素子であり、半導体レーザ素子ＬＤの出射端面から出射される光は、回折によりｙ軸方向に広がる。このため、光ファイバＦの調心においては、特にｙ軸方向（半導体レーザ素子ＬＤの活性層に直交する方向）の調心を精度良く行なうことが重要になる。
【０００６】
光ファイバＦのｙ軸方向の調心は、光ファイバＦの出射端面から出力される出力光の強度を参照して行われる。すなわち、光ファイバＦの出力光の強度をパワーメータＰＭで測定しながら、光ファイバＦの入射端面をｙ軸方向に移動する。そして、光ファイバＦの入射端面のｙ軸方向の位置を、光ファイバＦの出力光の強度が最大になる位置（以下「適正位置」とも記載）に合わせる。
【０００７】
なお、光ファイバＦの入射端面は、図８（ａ）に示すように、ｙｚ平面に平行な断面が楔形になるように加工されており、稜線近傍の斜線を付した領域がレンズ部Ｌを構成している。半導体レーザ素子ＬＤの活性層ＡＬから出射された光は、このレンズ部Ｌを介し光ファイバＦに入射する。光ファイバＦに入射した光は、その伝搬角θが｜θ｜≦θcritであれば、光ファイバＦ内に閉じ込められ、光ファイバＦ内を伝搬する。ここで、θcritは、全反射を生じる臨界角をφとして、θcrit＝９０°−φにより定義される角度であり、本明細書ではこれを臨界伝搬角と呼ぶ。
【０００８】
このような調心方法を開示した文献としては、例えば、特許文献１〜３などが挙げられる。
【先行技術文献】
【特許文献】
【０００９】
【特許文献１】特開２００３−  ５７４９８号公報（２００３年  ２月２６日公開）
【特許文献２】特開２００７−２５８４７９号公報（２００７年１０月  ４日公開）
【特許文献３】特開２００７−２８７７２６号公報（２００７年１１月  １日公開）
【発明の概要】
【発明が解決しようとする課題】
【００１０】
半導体レーザモジュールを構成する光ファイバを伝播する光に、その光ファイバの臨界伝搬角に近い伝搬角を有する成分（以下、「広角成分」と記載）が含まれていると、その半導体レーザモジュールを備えたファイバレーザやファイバアンプの効率を悪化させたり、増幅用光ファイバの被覆を発熱させたりするといった問題を生じる。何故なら、半導体レーザモジュールを構成する光ファイバを伝播する光に含まれる広角成分は、その光ファイバに接続されるポンプコンバイナや増幅用ファイバにおける損失要因となるからである。したがって、半導体レーザモジュールを構成する光ファイバの調心においては、その光ファイバを伝播する光に含まれる広角成分を減少させるように、その光ファイバの入射端面の位置（半導体レーザ素子の出射端面に対する相対位置）を決定することが要求される。
【００１１】
しかしながら、光ファイバの入射端面の位置を、単に、その光ファイバの出射端面から出力される出力光の強度を参照して決定する構成では、この要求に応えることができない。何故なら、その光ファイバを伝播した光は、広角成分であるか狭角成分であるかの区別なくパワーメータに受光されるので、広角成分の多寡に応じて測定される出力光の強度が増減することはないからである。
【００１２】
また、光ファイバの入射端面の位置を、単に、その光ファイバの出射端面から出力される出力光の強度を参照して決定する構成では、図８（ａ）に示すように入射端面がレンズ加工された光ファイバＦを調心対象とする場合、精度の良い調心を実現することができないという問題を生じる。何故なら、図８（ｂ）に示すように、光ファイバＦの入射端面がｙ軸方向に変位しても、図７（ａ）に示すように、光ファイバＦの出力光の強度が殆ど変化しない場合、すなわち、光出力（光ファイバＦの出力光の強度）のトレランスが広がる場合があるためである。このように、光出力のトレランスが広がる理由は、以下のとおりである。
【００１３】
すなわち、図８（ｂ）に示すように、光ファイバＦの入射端面がｙ軸方向に変位した場合、半導体レーザ素子ＬＤの活性層ＡＬから出射された光の一部は、図８（ｂ）に点線で示すように、レンズ部Ｌを介さずに光ファイバＦに入射することになる。しかしながら、レンズ部Ｌを介さずに光ファイバＦに入射した光も、その伝搬角θ’が｜θ’｜≦θcritであれば、レンズ部Ｌを介して光ファイバＦに入射した光と同様、光ファイバＦ内に閉じ込められ、光ファイバＦ内を伝搬する。このため、光ファイバＦの入射端面が適正位置から僅かに変位しても、光ファイバＦの出力光の強度は、殆ど変化しない。
【００１４】
一方、図８（ｂ）に示すように、光ファイバＦの入射端面がｙ軸方向に変位すると、光ファイバＦを伝搬する光に、臨界伝搬角θcritに近い伝搬角を有する広角成分が含まれるようになる。この広角成分は、レンズ部Ｌを介さずに光ファイバＦに入射した光により構成され、その伝搬角θ’は、光ファイバＦのｙ軸方向への変位に略比例して大きくなる。このため、図７（ａ）に示すように、光出力のトレンランスが広がる場合であっても、図７（ｂ）に示すように、最大伝搬角θmaxのトレランスは広がらない。ここで、最大伝搬角θmaxとは、実際に光ファイバＦを伝搬する光（モード）のうち、最大の伝搬角を有する光（モード）の伝搬角のことを指す。
【００１５】
以上のように、入射端面にレンズ加工が施された光ファイバＦの調心においては、光出力（光ファイバＦの出力光の強度）のトレランスが広がる場合がある。この場合、光ファイバＦの出力光の強度に基づく調心では、光ファイバＦの入射端面の位置を真の適正位置に合わせることは困難である。そして、光ファイバＦの入射端面の位置が真の適正位置から外れた場合、光ファイバＦを伝搬する光に広角成分が含まれるようになる。
【００１６】
なお、光ファイバの出力光の強度に基づく調心に代えて、光ファイバの出力光のＦＦＰ（Far Field Pattern）に基づく調心を行なえば、上述した問題を回避することができる。しかしながら、ＦＦＰの測定には、複雑な装置が必要であり、時間的及び金銭的コストの上昇が避けられない。
【００１７】
本発明は、上記の問題に鑑みてなされたものであり、その目的は、半導体レーザ素子の出射端面と光ファイバの入射端面との相対位置を調整する調心方法において、その光ファイバの出力光の強度に基づきながらも、その光ファイバを伝播する光に含まれる広角成分を減少させ得る調心方法を実現することにある。
【課題を解決するための手段】
【００１８】
上記課題を解決するために、本発明に係る調心方法は、半導体レーザ素子の出射端面と光ファイバの入射端面との相対位置を調整する調心方法であって、上記光ファイバを伝搬する、伝搬角θが｜θ｜≦θcrit（θcritは上記光ファイバの臨界伝搬角）となる光から、伝搬角θがθcrit−δ＜｜θ｜≦θcrit（δは正の定数）である広角成分を除去し、伝搬角θが｜θ｜≦θcrit−δである狭角成分を出力する広角成分除去手段を、上記光ファイバの出射端面側に挿入する挿入工程と、上記広角成分除去手段から出力された上記狭角成分の強度を参照し、該強度を最大化するように上記半導体レーザ素子の出射端面と上記光ファイバの入射端面との相対位置を調整する調整工程と、を含んでいる、ことを特徴とする。
【００１９】
上記の構成によれば、上記光ファイバを伝播する光に含まれる広角成分が上記広角成分除去手段によって除去され、残った狭角成分の強度に基づく調心が行なわれる。このため、上記の構成によれば、上記光ファイバを伝播する光に含まれる狭角成分の割合ができるだけ多くなるように、すなわち、上記光ファイバを伝播する光に含まれる広角成分の割合ができるだけ少なくなるように、上記光ファイバの入射端面の位置（上記半導体レーザ素子の出射端面に対する相対位置）を調整することができる。
【００２０】
しかも、上記の構成によれば、調心のために必要な測定は、上記広角成分除去手段から出力された上記狭角成分の強度の測定のみであり、ＦＦＰの測定を要さない。したがって、上記光ファイバを伝播する光に含まれる広角成分を減少させ得る調心を、ＦＦＰに基づく調心よりも簡単な構成で実現することができる。
【００２１】
本発明に係る調心方法において、上記広角成分除去手段は、上記光ファイバの出射端面に接続された他の光ファイバであって、上記光ファイバよりも開口数の低い他の光ファイバである、ことが好ましい。
【００２２】
上記の構成によれば、上記広角成分除去手段を、簡単な構成で安価に実現することができる。
【００２３】
本発明に係る調心方法において、上記光ファイバは、上記入射端面にレンズ加工が施された光ファイバであることが好ましい。
【００２４】
調心対象となる光ファイバの入射端面にレンズ加工が施されている場合、従来の調心方法では出力光のトレランスが広がることに伴う調心精度の低下が生じ得る。これに対し、本発明に係る調心方法によれば、出力光のトレランスの広がりを抑えることができるので、従来の調心方法よりも精度の良い調心を実現することができる。
【００２５】
上記課題を解決するために、本発明に係る半導体レーザモジュールの製造方法は、半導体レーザ素子と光ファイバとを備えた半導体レーザモジュールの製造方法であって、上記半導体レーザ素子の出射端面と上記光ファイバの入射端面との相対位置を調整する調心工程において、上記調心方法を用いることを特徴とする。
【００２６】
上記の構成によれば、上記光ファイバを伝播する光に含まれる広角成分を減少させ得る調心を、ＦＦＰに基づく調心よりも簡単な構成で実現することができる。このため、コンバイナや増幅用ファイバにおける損失要因になる広角成分を含まない光を出力することが可能な半導体レーザモジュールを安価に実現することができる。
【発明の効果】
【００２７】
本発明によれば、光ファイバを伝播する光に含まれる広角成分を減少させ得る調心を、ＦＦＰに基づく調心よりも簡単な構成で実現することができる。
【図面の簡単な説明】
【００２８】
【図１】本発明の実施形態に係る調心方法の概要を示す模式図である。
【図２】図１に示す調心方法において、光ファイバを伝搬する光の光路を示す図である。
【図３】実線は、図１に示す調心方法において、低ＮＡファイバＦ２の光出力のトレランスカーブを示すグラフである。点線は、図１に示す調心方法において、光ファイバＦ１の光出力のトレランスカーブを示すグラフである。
【図４】本発明の実施形態に係る調心方法の変形例の概要を示す模式図である。
【図５】図４に示す調心方法において、光ファイバを伝搬する光の光路を示す図である。
【図６】従来の調心方法の概要を示す模式図である。
【図７】（ａ）は、図６に示す調心方法において得られる光出力のトレランスカーブを示すグラフである。（ｂ）は、図６に示す調心方法において得られる最大伝搬角のトレランスカーブを示すグラフである。
【図８】図６に示す調心方法において、光ファイバを伝搬する光の光路を示す図である。（ａ）は、光ファイバの入射端面の位置が適正位置にある場合を示し、（ｂ）は、光ファイバの入射端面の位置が適正位置から外れている場合を示す。
【発明を実施するための形態】
【００２９】
本発明の一実施形態に係る調心方法について、図面に基づいて説明すれば以下のとおりである。
【００３０】
なお、本実施形態に係る調心方法は、半導体レーザモジュールの製造方法に含まれる調心工程において用いられるものであり、その半導体レーザモジュールを構成する半導体レーザ素子及び光ファイバを調心対象とする。ただし、本発明は、これに限定されるものではない。すなわち、本発明に係る調心方法は、半導体レーザ素子の出射端面と光ファイバの入射端面との相対位置を調整するものであればよく、調心対象とする半導体レーザ素子及び光ファイバが半導体レーザモジュールを構成するものであることを要さない。
【００３１】
〔調心方法の概要〕
まず、本実施形態に係る調心方法の概要について、図１を参照して説明する。図１は、本実施形態に係る調心方法の概要を示す模式図である。
【００３２】
本実施形態に係る調心方法は、上述したように、半導体レーザモジュール１０の製造方法に含まれる調心工程において用いられるものである。本実施形態においては、半導体レーザモジュール１０として、半導体レーザ素子ＬＤと、光ファイバＦ１とに加え、底板１１と、サブマウント１２〜１３とを備えた半導体レーザモジュールを想定する。光ファイバＦ１は、半導体レーザ素子ＬＤの出射端面に対向する端面（以下「入射端面」とも記載）にレンズ加工が施されたマルチモードファイバである。
【００３３】
半導体レーザモジュール１０において、サブマウント１２は、半導体レーザ素子ＬＤを載置するための台座として利用される。また、サブマウント１３は、光ファイバＦ１を載置するための台座として利用される。光ファイバＦ１は、半導体レーザモジュール１０の筐体側壁に設けられた挿通パイプ１４を介して、半導体レーザモジュール１０の内部に引き込まれ、サブマウント１３の上面に固定（半田付け又は接着）される。本実施形態に係る調心方法は、光ファイバＦ１を半導体レーザモジュール１０の内部に引き込む工程を実施した後、光ファイバＦ１をサブマウント１３の上面に固定する工程を実施する前に実施される。
【００３４】
本実施形態に係る調心方法は、（１）光ファイバＦ１よりも開口数の低い低ＮＡ光ファイバＦ２を、光ファイバＦ１の出射端面側に挿入する挿入工程と、（２）低ＮＡ光ファイバＦ２から出力された光の強度を参照し、その強度を最大化するように半導体レーザモジュールＬＤの出射端面に対する光ファイバＦ１の入射端面の位置を調整する調整工程とを含む。ここで、低ＮＡ光ファイバＦ２は、光ファイバＦ１を伝搬する光から広角成分を除去し、残った狭角成分を出力する広角成分除去手段として機能する。したがって、上述した調整工程は、光ファイバＦ１を伝搬する光のうち、狭角成分を参照して実施される。
【００３５】
挿入工程においては、低ＮＡ光ファイバＦ２の一方の端面（以下「入射端面」とも記載）を、光ファイバＦ１の出射端面（半導体レーザ素子ＬＤの出射端面と対向する入射端面と反対側の端面）に接続（例えば、融着）する。また、調整工程においては、低ＮＡ光ファイバＦ２の他方の端面（以下「出射端面」とも記載）から出射された光（狭角成分）の強度をパワーメータＰＭで測定しながら、光ファイバＦ１の入射端面をｙ軸方向（半導体レーザ素子ＬＤの活性層に直交する方向）に移動する。そして、光ファイバＦ１の入射端面のｙ軸方向の位置を、低ＮＡ光ファイバＦ２の出射端面から出射された光の強度が最大になる位置に合わせる。
【００３６】
なお、本実施形態においては、光ファイバＦ１をサブマウント１３を介して底板１１に固定する構成を例示しているが、本発明はこれに限定されるものではない。例えば、光ファイバＦ１を底板１１に直接固定する構成も採用してもよい。同様に、半導体レーザ素子ＬＤを底板１１に直接固定する構成を採用してもよい。
【００３７】
〔低ＮＡ光ファイバの機能〕
次に、低ＮＡ光ファイバＦ２の機能について、図２を参照して説明する。図２は、光ファイバＦ１及び低ＮＡ光ファイバＦ２を伝搬する光の光路を示す図である。
【００３８】
光ファイバＦ１は、伝搬角θが｜θ｜≦θcritとなる光を伝搬する。ここで、θcritは、光ファイバＦ１の臨界伝搬角であり、光ファイバＦ１において全反射を生じる臨界角をφとすると、θcrit=９０°−φにより定義される角である。一方、低ＮＡ光ファイバＦ２は、伝搬角θ’が｜θ’｜≦θcrit’となる光を伝搬する。ここで、θcrit’は、低ＮＡ光ファイバＦ２の臨界伝搬角であり、低ＮＡ光ファイバＦ２において全反射を生じる臨界角をφ’とすると、θcrit’=９０°−φ’により定義される角である。
【００３９】
ここで、低ＮＡ光ファイバＦ２は、光ファイバＦ１よりも開口数の低い光ファイバである。したがって、低ＮＡ光ファイバＦ２において全反射を生じる臨界角φ’は、光ファイバＦ１において全反射を生じる臨界角φよりも大きい。換言すれば、低ＮＡ光ファイバＦ２の臨界伝搬角θcrit’＝９０°−φ’は、光ファイバＦ１の臨界伝搬角θcritよりも小さい。したがって、光ファイバＦ１を伝搬する光（すなわち、光ファイバＦ１における伝搬角θが｜θ｜≦θcritとなる光）のうち、低ＮＡ光ファイバＦ２における伝搬角θ’が｜θ’｜＞θcrit’となる広角成分は、低ＮＡ光ファイバＦ２に閉じ込められることなく、低ＮＡ光ファイバＦ２の側面から漏れ出す。
【００４０】
ここで、光ファイバＦ１を伝搬する光のうち、低ＮＡ光ファイバＦ２に入射したときに伝搬角がθcrit'となる光の伝搬角をθcrit”とし、δ＝θcrit−θcrit”とすると、低ＮＡ光ファイバＦ２の機能は、以下のように表現することができる。すなわち、低ＮＡ光ファイバＦ２は、光ファイバＦ１を伝搬する光から、光ファイバＦ１における伝搬角θがθcrit−δ＜｜θ｜≦θcritである広角成分を除去し、光ファイバＦ１における伝搬角θが｜θ｜≦θcrit−δである狭角成分を出射端面から出力する。なお、光ファイバＦ１のコアの屈折率と低ＮＡ光ファイバＦ２のコアの屈折率とが同一の場合、θcrit”＝θcrit’であり、δ＝θcrit−θcrit’となる。
【００４１】
図２において、実線は、上記狭角成分に対応する光路を示し、点線は、上記広角成分に対応する光路を示す。低ＮＡ光ファイバＦ２に入射した狭角成分は、低ＮＡ光ファイバＦ２における伝搬角θ’が｜θ’｜≦θcrit'となるので、図２に示すように、低ＮＡ光ファイバＦ２に閉じ込められ、低ＮＡ光ファイバＦ２の出射端面から出力される。一方、低ＮＡ光ファイバＦ２に入射した広角成分は、低ＮＡ光ファイバＦ２における伝搬角θ’が｜θ’｜＞θcrit'となるので、図２に示すように、低ＮＡ光ファイバＦ２に閉じ込められることなく、低ＮＡ光ファイバＦ２の側面から外部に漏れ出す。したがって、低ＮＡ光ファイバＦ２に入射した光のうち、狭角成分のみが低ＮＡ光ファイバＦ２の出射端面から出射され、図１に示すパワーメータＰＭに入射することになる。
【００４２】
〔低ＮＡ光ファイバの効果〕
次に、低ＮＡ光ファイバ２の効果について、図３を参照して説明する。図３において、点線は、光ファイバＦ１の光出力（光ファイバＦ１の出射端面から出力される、広角成分及び狭角成分の両方を含む光の強度）のトレランスカーブであり、実線は、低ＮＡ光ファイバＦ２の光出力（低ＮＡ光ファイバＦ２の出射端面から出力される、狭角成分のみを含む光の強度）のトレンランスカーブである。なお、図３に示す各トレランスカーブの測定に際しては、光ファイバＦ１の開口数を０．２２とし、低ＮＡ光ファイバＦ２の開口数を０．１５とした。
【００４３】
上述したように、入射端面にレンズ加工が施された光ファイバＦ１の調心においては、光ファイバＦ１の入射端面の位置が適正位置から外れると、光ファイバＦ１を伝搬する光に広角成分が含まれるようになる。この広角成分は、光ファイバＦ１における伝搬角θが光ファイバ１の臨界伝搬角θcritを超えない限り、光ファイバＦ１の出射端面から出力される。このため、光ファイバＦ１の入射端面の位置が適正位置から外れても、光ファイバＦ１の出射端面から出力される光の強度は殆ど低下しない。したがって、光ファイバＦ１の光出力のトレランスは、図３に点線で示すように広がったものとなる。
【００４４】
一方、低ＮＡ光ファイバＦ２の出力光のトレランスは、図３に実線で示すように、光ファイバＦ１の光出力のトレランスよりも狭くなる。これは、光ファイバＦ１の入射端面の位置が適正位置から外れると、低ＮＡ光ファイバＦ２における伝搬角θ’が低ＮＡ光ファイバＦ２の臨界伝搬角θcrit’を超える広角成分が低ＮＡ光ファイバＦ２の側面から漏れ出し、その結果、低ＮＡ光ファイバＦ２の出射端面から出力される光の強度が低下するからである。このため、低ＮＡ光ファイバＦ２の光出力を参照して光ファイバＦ１の入射端面の位置を調整すれば、光ファイバＦ１の光出力を参照して光ファイバＦ１の入射端面の位置を調整するよりも、精度の高い調心を行なうことが可能になる。
【００４５】
〔変形例〕
なお、本実施形態においては、光ファイバＦ１を伝搬する光から広角成分を除去する広角成分除去手段として低ＮＡ光ファイバＦ２を用いたが、本発明はこれに限定されるものではない。すなわち、低ＮＡ光ファイバＦ２は、光ファイバＦ１を伝搬する光から広角成分を除去する機能を有する他の光学系に置換することが可能である。以下、このような変形例について、図４及び図５を参照して簡単に説明する。
【００４６】
図４は、本変形例に係る調心方法の概要を示す模式図である。本変形例においては、図４に示すように、レンズＬにより構成される空間フィルタを広角成分除去手段として用いている。
【００４７】
レンズＬは、光ファイバＦ１の出射端面から出射された光のうち、光ファイバＦ１における伝搬角θが｜θ｜≦θcrit−δとなる狭角成分のみを、パワーメータＰＭの受光面に入射させるように設計されている（図５における実線参照）。一方、光ファイバＦ１の出射端面から出射された光のうち、光ファイバＦ１における伝搬角θがθcrit−δ＜｜θ｜≦θcritとなる広角成分は、パワーメータＰＭの受光面に入射することなく、除去される（図５における点線参照）。
【００４８】
このように、広角成分除去手段として空間フィルタを用いた場合であっても、広角成分除去手段として低ＮＡ光ファイバ２を用いた場合と同様、精度の高い調心を行なうことができる。
【産業上の利用可能性】
【００４９】
本発明は、半導体レーザ素子の出射端面と光ファイバの入射端面との相対位置を調整する調心方法に広く適用することができる。特に、半導体レーザモジュールにおける調心に好適に利用することができる。
【符号の説明】
【００５０】
１０            半導体レーザモジュール
１１            底板
１２            サブマウント（ＬＤ用）
１３            サブマウント（光ファイバ用）
１４            挿通パイプ
ＬＤ            半導体レーザ素子
Ｆ１            光ファイバ
Ｆ２            低ＮＡ光ファイバ（他の光ファイバ）
ＰＭ            パワーメータ
【図１】
2013197372.tif 000003
【図２】
2013197372.tif 000004
【図３】
2013197372.tif 000005
【図４】
2013197372.tif 000006
【図５】
2013197372.tif 000007
【図６】
2013197372.tif 000008
【図７】
2013197372.tif 000009
【図８】
2013197372.tif 000010